(57)【要約】【課題】  簡易な構成で、物品の搬送や保管といった物品に関する作業を行う際の物品の情報管理を容易に行うことができる物品管理システムを提供する。【解決手段】  本発明に係る物品管理システムは、ＲＦＩＤタグ１に記憶された情報を取得するＲＦＩＤリーダ／ライタ１２と、保管容器に収容される又は保管容器から取り出される物品を特定する物品特定情報及び物品特定情報で特定される物品が保管容器に収容される又は保管容器から取り出される数量を特定する数量情報をサーバ１３から受信する通信インターフェース１２Ｂｃと、ＲＦＩＤリーダ／ライタ１２で取得した物品に関する情報並びに物品特定情報及び数量情報に基づいて、保管容器に収容される又は保管容器から取り出される物品が物品特定情報及び数量情報と一致するか否かを判定する制御部１２Ｂｄとを備える。【選択図】  図４
2019112231.tif 000002
【特許請求の範囲】
【請求項１】
搬送可能な保管容器に収容される物品に取り付けられた記憶媒体に記憶された前記物品に関する情報に基づいて前記物品を管理する物品管理システムであって、
前記保管容器に設けられる物品管理モジュールと、該物品管理モジュールがアクセス可能なサーバとを備え、
前記物品管理モジュールが、
前記記憶媒体を検知する記憶媒体検知手段と、
該記憶媒体検知手段で検知した記憶媒体に記憶された前記物品に関する情報を取得する情報管理手段と、
前記保管容器に収容される物品又は前記保管容器から取り出される物品を特定する物品特定情報及び該物品特定情報で特定される物品が前記保管容器に収容される数量又は前記保管容器から取り出される数量を特定する数量情報を前記サーバから受信する通信手段と、
前記情報管理手段で取得した前記物品に関する情報並びに前記通信手段が受信する物品特定情報及び数量情報に基づいて、前記保管容器に収容される物品又は前記保管容器から取り出される物品が前記物品特定情報及び前記数量情報と一致するか否かを判定する制御手段とを備えることを特徴とする物品管理システム。
【請求項２】
前記情報管理手段は、前記通信手段が前記サーバから受信する情報又は前記保管容器で入力される情報に基づいて、前記記憶媒体に記憶された前記物品に関する情報を更新可能であることを特徴とする請求項１に記載の物品管理システム。
【請求項３】
前記情報管理手段が管理する前記物品に関する情報又は前記通信手段が受信する物品特定情報及び数量情報を表示する表示部を備えることを特徴とする請求項１または２に記載の物品管理システム。
【請求項４】
前記制御手段が、前記保管容器に収容される物品又は前記保管容器から取り出される物品が前記物品特定情報及び前記数量情報と一致しないと判定した場合に、警告を発する警告手段を備えることを特徴とする請求項１〜３のいずれか１項に記載の物品管理システム。
【請求項５】
前記保管容器の内表面に発光体が設けられたことを特徴とする請求項１〜４のいずれか１項に記載の物品管理システム。
【請求項６】
搬送可能な保管容器に設けられ、該保管容器に収容される物品に取り付けられた記憶媒体に記憶された前記物品に関する情報に基づいて前記物品を管理する物品管理モジュールであって、
前記記憶媒体を検知する記憶媒体検知手段と、
該記憶媒体検知手段で検知した記憶媒体に記憶された前記物品に関する情報を取得する情報管理手段と、
前記保管容器に収容される物品又は前記保管容器から取り出される物品を特定する物品特定情報及び該物品特定情報で特定される物品が前記保管容器に収容される数量又は前記保管容器から取り出される数量を特定する数量情報をサーバから受信する通信手段と、
前記情報管理手段で取得した前記物品に関する情報並びに前記通信手段が受信する物品特定情報及び数量情報に基づいて、前記保管容器に収容される物品又は前記保管容器から取り出される物品が前記物品特定情報及び前記数量情報と一致するか否かを判定する制御手段とを備えることを特徴とする物品管理モジュール。
【発明の詳細な説明】
【技術分野】
【０００１】
本発明は、物品管理システム及び物品管理モジュール、特に、搬送可能な保管容器に収容される物品に取り付けられた記憶媒体に記憶された物品に関する情報に基づいて物品を管理する物品管理システム、及び搬送可能な保管容器に設けられ、保管容器に収容される物品に取り付けられた記憶媒体に記憶された物品に関する情報に基づいて物品を管理する物品管理モジュールに関する。
【背景技術】
【０００２】
例えば、出荷人が荷受人に物品を搬送したり、倉庫業者や流通業者等が物品を倉庫に保管したりといった物品に関する作業を行う場合には、折りたたみコンテナや通箱とも称される保管容器に物品が収容されて、物品が搬送されたり保管されたりすることがある。
【０００３】
このような保管容器に収容される物品には、例えば、物品の名称、搬入日（入荷日）や搬出日（出荷日）等、その物品に関する各種の情報が記憶される。これらの情報を記憶する媒体としては、例えば、バーコードラベルや二次元コード、あるいはＲＦＩＤタグといった記憶媒体が用いられる。
【０００４】
特許文献１には、ＲＦＩＤタグに記憶された情報に基づいて、ＲＦＩＤタグが取り付けられた物品の輸送を管理する方法が開示されている。
【０００５】
特許文献１の方法によれば、ＲＦＩＤタグが取り付けられた物品を、通箱に設けられた内部通信用アンテナとＲＦＩＤタグとが対面するように通箱内に物品を収容させると、ＲＦＩＤタグに記憶された情報が、通箱に設けられたＲＦＩＤリーダ／ライタに読み込まれる。
【０００６】
ＲＦＩＤリーダ／ライタに読み込まれた情報は、物品の搬送者が保有する携帯端末によって、通箱に設けられた外部通信アンテナを介して読み取られる。この携帯端末で読み取られた情報は、外部の情報処理端末に送信される。
【先行技術文献】
【特許文献】
【０００７】
【特許文献１】特開２０１７−２７３４５号公報
【発明の概要】
【発明が解決しようとする課題】
【０００８】
しかし、特許文献１の方法によると、ＲＦＩＤリーダ／ライタに読み込まれた物品の情報を取得するに際しては、外部通信アンテナを介して情報を読み取ることが可能な携帯端末を物品の搬送者が保有する必要があることから、搬送作業の際の搬送者の手持ちの荷物となってしまい、携帯端末による読み取り作業が介在することにより、搬送作業の効率が低下することが懸念される。
【０００９】
本発明は、上記事情に鑑みてなされたものであり、簡易な構成で、物品の搬送や保管といった物品に関する作業を行う際の物品の情報管理を容易に行うことができる物品管理システム及び物品管理モジュールを提供することを課題とするものである。
【課題を解決するための手段】
【００１０】
上記課題を解決するための物品管理システムは、搬送可能な保管容器に収容される物品に取り付けられた記憶媒体に記憶された物品に関する情報に基づいて物品を管理する物品管理システムにおいて、保管容器に物品が収容される際に記憶媒体を検知する記憶媒体検知手段と、記憶媒体検知手段で検知した記憶媒体に記憶された情報を取得する情報管理手段と、情報管理手段で取得した情報をサーバに送信する情報送信手段と、サーバにアクセス可能に配置されて情報を取得可能な情報処理手段と、を備えることを特徴としている。
【００１１】
この物品管理システムによれば、物品が保管容器に収容される際に、物品に取り付けられた記憶媒体を記憶媒体検知手段が検知し、情報管理手段が、記憶媒体に記憶された物品に関する情報を取得する。
【００１２】
取得した物品に関する情報は、情報送信手段を介してサーバに送信され、サーバにアクセス可能に配置された情報処理手段によって、物品に関する情報を取得することが可能となる。
【００１３】
したがって、保管容器に収容された物品の情報を情報処理手段で確認することができることから、物品の搬送や保管といった作業を行う際の物品の情報の管理を容易に行うことができる。
【００１４】
この物品管理システムの情報管理手段は、情報処理手段から入力される情報に基づいて、記憶媒体に記憶された情報を情報処理手段から入力される新たな情報として記憶媒体に記憶させることを特徴としている。
【００１５】
この情報管理手段によれば、記憶媒体に記憶された情報を、情報処理手段から入力された情報として記憶媒体に記憶させることができることから、記憶媒体に記憶させる物品に関する情報を、物品の実際の管理状況に応じて適宜に修正あるいは変更することができる。
【００１６】
しかも、物品管理システムは、記憶媒体に記憶された情報を表示する表示部を備えることを特徴としている。これにより、物品に関する情報を表示部で簡易に確認することができる。
【００１７】
さらに、物品管理システムは、情報処理手段から入力される、保管容器に収容される物品を特定する物品特定情報及び物品特定情報で特定された物品が保管容器に収容される数量を特定する数量情報に基づいて、保管容器に収容される物品が物品特定情報及び数量情報と一致するか否かを判定する制御部を備えることを特徴としている。
【００１８】
このように、制御部が、保管容器に収容される物品と情報処理手段から入力される物品特定情報及び数量情報とが一致するか否かを判定することから、保管容器への物品の誤収容及び誤取り出しを防止して、適切に物品を管理することができる。
【００１９】
物品管理システムは、保管容器の内表面に発光体が設けられたことを特徴としている。したがって、保管容器が暗所に配置されていても、物品の収容作業あるいは取り出し作業を効率的に実行することができる。
【００２０】
上記課題を解決するための物品管理モジュールは、搬送可能な保管容器に設けられ、保管容器に収容される物品に取り付けられた記憶媒体に記憶された物品に関する情報に基づいて物品を管理する物品管理モジュールであって、保管容器に物品が収容される際に記憶媒体を検知する記憶媒体検知手段と、記憶媒体検知手段で検知した記憶媒体に記憶された情報を取得する情報管理手段と、情報管理手段で取得した前記情報を外部に送信する情報送信手段と、を備えることを特徴としている。
【００２１】
この物品管理モジュールによれば、物品が保管容器に収容される際に、物品に取り付けられた記憶媒体を記憶媒体検知手段が検知し、情報管理手段が、記憶媒体に記憶された物品に関する情報を取得する。取得した物品に関する情報は、情報送信手段を介して外部に送信される。
【００２２】
したがって、保管容器に収容された物品の情報を外部から確認することができることから、物品の搬送や保管といった作業を行う際の物品の情報の管理を容易に行うことができる。
【発明の効果】
【００２３】
この発明によると、物品の搬送や保管といった作業を行う際の物品の情報の管理を容易に行うことができる。
【図面の簡単な説明】
【００２４】
【図１】本発明の実施の形態に係る物品管理システムの概略を説明する図である。
【図２】同じく本実施の形態に係る記憶媒体に記憶される情報の概略を説明する図である。
【図３】同じく、本実施の形態に係る保管容器の概略を説明する斜視図である。
【図４】同じく、本実施の形態に係る物品管理モジュールの構成の概略を説明するブロック図である。
【図５】同じく、本実施の形態に係る物品特定情報及び数量情報の概略を説明する図である。
【図６】同じく、本実施の形態に係る物品管理システムの運用方法を示すフローチャートである。
【図７】同じく、本実施の形態に係る物品管理システムにおいて、物品情報を新たな物品情報として運用する方法を示すフローチャートである。
【図８】同じく、本実施の形態に係る物品管理システムにおいて、記憶媒体に記憶された物品情報を新たな物品情報とする場合の概略を説明する図である。
【図９】保管容器に収容される物品を、本実施の形態に係る物品管理システムで管理する方法を示すフローチャートである。
【図１０】同じく、本実施の形態に係る物品管理システムによって、保管容器に収容される物品を管理する場合の概略を説明する図である。
【発明を実施するための形態】
【００２５】
次に、本発明の実施の形態について、図１〜図１０に基づいて説明する。
【００２６】
図１は、本実施の形態に係る物品管理システム１０の概略を説明する図である。図示のように、物品管理システム１０は、記憶媒体であるＲＦＩＤタグ１が取り付けられた物品２が収容される保管容器１１、保管容器１１に設けられた物品管理モジュール１２、物品管理モジュール１２から送信される後述する物品情報を受信するサーバ１３、及びサーバ１３にアクセス可能に配置されて物品情報を取得可能な情報処理手段であるコンピュータ１４を主要構成として備える。
【００２７】
さらに、物品管理システム１０は、本実施の形態では、物品管理モジュール１２及びサーバ１３にアクセス可能な携帯型の情報処理手段である通信ターミナル１５を備える。
【００２８】
本実施の形態では、この物品管理システム１０は、管理者Ｍ１によってコンピュータ１４が管理されるとともに、作業者Ｍ２によって通信ターミナル１５が保有される。
【００２９】
図２は、ＲＦＩＤタグ１に記憶される物品情報の概略を説明する図である。図示のように、物品情報Ｄ１は、物品２に関する情報で構成されており、本実施の形態では、物品２の保管担当となる作業者Ｍ２を識別する符号であるユーザＩＤ、物品２の最小管理単位であるＳＫＵ、物品２を識別する符号であるＪＡＮコード、あるいは物品２を出荷する出荷先店舗等、各種の情報で構成される。
【００３０】
図３は、保管容器１１の概略を説明する斜視図である。図示のように、保管容器１１は、底部１１ａ及び側部１１ｂを有して上部が開放された立方体の箱状であって、本実施の形態では、底部１１ａに記憶媒体検知手段である通信用アンテナ１２Ａが内蔵され、側部１１ｂの内表面すなわち保管容器１１の内表面に、発光体である状態表示用ランプ１１ｃが設けられている。
【００３１】
一方、側部１１ｂの外表面には、物品管理コントローラ１２Ｂが設けられている。この物品管理コントローラ１２Ｂと通信用アンテナ１２Ａとによって、本実施の形態では、物品管理モジュール１２が構成される。
【００３２】
図４は、物品管理モジュール１２の構成の概略を説明するブロック図である。図示のように、物品管理モジュール１２の通信用アンテナ１２Ａは、保管容器１１に物品２が収容される際に、物品２に取り付けられたＲＦＩＤタグ１を検知する。
【００３３】
物品管理コントローラ１２Ｂは、本実施の形態では、通信用アンテナ１２Ａで検知されたＲＦＩＤタグ１に記憶された物品情報Ｄ１を読み取るとともに、このＲＦＩＤタグ１にコンピュータ１４から入力される後述する新たな物品情報を記憶させるＲＦＩＤリーダ／ライタ１２Ｂａ、ＲＦＩＤリーダ／ライタ１２Ｂａと接続されてＲＦＩＤタグ１から読み取った物品情報Ｄ１を表示する表示部であるディスプレイ１２Ｂｂを備える。
【００３４】
さらに、物品管理コントローラ１２Ｂは、サーバ１３及び通信ターミナル１５と無線で通信を行う情報通信手段である通信インターフェース１２Ｂｃ、この通信インターフェース１２Ｂｃと接続される制御部１２Ｂｄを備える。
【００３５】
制御部１２Ｂｄは、本実施の形態では、サーバ１３及び通信ターミナル１５との間の通信に基づいてＲＦＩＤリーダ／ライタ１２Ｂａ及びディスプレイ１２Ｂｂを制御するとともに、サーバ１３を介してコンピュータ１４から物品管理コントローラ１２Ｂの通信インターフェース１２Ｂｃに入力される後述の物品特定情報及び数量情報を処理する。
【００３６】
図５は、物品特定情報及び数量情報の概略を説明する図である。図示のように、物品特定情報Ｄ３は、保管容器１１に収容される物品２の名称データである物品名及びその物品２に割り当てられたＪＡＮコードによって構成され、数量情報Ｄ４は、物品２が保管容器１１に収容される数量のデータによって構成される。
【００３７】
制御部１２Ｂｄでは、通信用アンテナ１２Ａで検知されてＲＦＩＤリーダ／ライタ１２Ｂａに読み取られた、保管容器１１に収容される物品２に取り付けられたＲＦＩＤタグ１に記憶された物品情報Ｄ１と、コンピュータ１４から入力される物品特定情報Ｄ３とが一致するか否かが判定され、かつ検知された物品情報Ｄ１の数と数量情報Ｄ４とが一致するか否かが判定される。
【００３８】
一方、制御部１２Ｂｄには、図４で示すように、操作部１２Ｂｅ、警告装置１２Ｂｆ及びメモリ１２Ｂｇが接続される。
【００３９】
操作部１２Ｂｅは、ディスプレイ１２Ｂｂに表示させる物品情報Ｄ１を選択したり、状態表示ランプ１１ｃを点灯あるいは消灯させたりといった各種の操作が実行される入力装置である。
【００４０】
警告装置１２Ｂｆは、本実施の形態では、制御部１２Ｂｄにおいて物品特定情報Ｄ３と物品情報Ｄ１とが一致しないと判定された場合、あるいは検知された物品情報Ｄ１の数と数量情報Ｄ４とが一致しないと判定された場合等に、警告音を発する装置である。
【００４１】
メモリ１２Ｂｇには、本実施の形態では、ＲＦＩＤリーダ／ライタ１２Ｂａが取得した物品情報Ｄ１、コンピュータ１４から入力されてＲＦＩＤタグ１に記憶される後述の新たな物品情報、及びコンピュータ１４から入力される物品特定情報Ｄ３及び数量情報Ｄ４が記憶される。
【００４２】
さらに制御部１２Ｂｄには、状態表示ランプ１１ｃが接続される。この状態表示ランプ１１ｃは、通信用アンテナ１２ＡがＲＦＩＤタグ１を検知すると点灯し、通信用アンテナ１２ＡがＲＦＩＤタグ１を検知しない状態となると消灯するように制御されるとともに、操作部１２Ｂｅの操作によって点灯されるあるいは消灯されるように構成される。
【００４３】
サーバ１３は、通信インターフェース１２Ｂｃを介して、ＲＦＩＤリーダ／ライタ１２Ｂａで読み取られたＲＦＩＤタグ１に記憶された物品情報Ｄ１が送信されるとともに、コンピュータ１４から入力される物品特定情報Ｄ３及び数量情報Ｄ４を、通信インターフェース１２Ｂｃを介して物品管理コントローラ１２Ｂの制御部１２Ｂｄに送信する。
【００４４】
コンピュータ１４は、本実施の形態では、サーバ１３にアクセスすることによって、通信用アンテナ１２Ａで検知されてＲＦＩＤリーダ／ライタ１２Ｂａに読み取られたＲＦＩＤタグ１に記憶された物品情報Ｄ１を取得する。
【００４５】
一方で、このコンピュータ１４には、ＲＦＩＤリーダ／ライタ１２Ｂａを介して、ＲＦＩＤタグ１に記憶された物品情報Ｄ１を新たな物品情報とする情報が入力される。
【００４６】
さらに、本実施の形態では、コンピュータ１４には、物品特定情報Ｄ３及び数量情報Ｄ４が入力され、入力された物品特定情報Ｄ３及び数量情報Ｄ４は、サーバ１３を介して物品管理コントローラ１２Ｂの通信インターフェース１２Ｂｃに入力され、メモリ１２Ｂｇに記憶される。
【００４７】
通信ターミナル１５は、本実施の形態では、通信インターフェース１２Ｂｃを介して物品管理コントローラ１２Ｂにアクセスすることによって、通信用アンテナ１２Ａで検知されてＲＦＩＤリーダ／ライタ１２Ｂａに読み取られたＲＦＩＤタグ１に記憶された物品情報Ｄ１を取得する。
【００４８】
一方で、この通信ターミナル１５には、ＲＦＩＤリーダ／ライタ１２Ｂａを介して、ＲＦＩＤタグ１に記憶された物品情報Ｄ１を新たな物品情報とする情報が入力される。
【００４９】
このように構成される物品管理システム１０は、例えば、倉庫業者が保管する物品を管理するシステムとして、あるいは流通業者や運送業者等が取り扱う物品を管理するシステムとして適用することができる。
【００５０】
次に、本実施の形態の物品管理システム１０の運用方法の概略を説明する。
【００５１】
図６は、本実施の形態に係る物品管理システム１０の運用方法を示すフローチャートである。例えば、倉庫業者の作業者Ｍ２が、物品２を保管容器１１に収容する際に、ステップＳ１において、物品２に取り付けられたＲＦＩＤタグ１を通信用アンテナ１２Ａが検知する。
【００５２】
通信用アンテナ１２ＡがＲＦＩＤタグ１を検知すると、ステップＳ２において、ＲＦＩＤリーダ／ライタ１２Ｂａが、ＲＦＩＤタグ１に記憶された物品情報Ｄ１を取得する。
【００５３】
取得した物品情報Ｄ１は、制御部１２Ｂｄを介してメモリ１２Ｂｇに記憶されてディスプレイ１２Ｂｄに表示可能となるとともに、ステップＳ３において、通信インターフェース１２Ｂｃを介してサーバ１３に送信される。
【００５４】
サーバ１３に送信された物品情報Ｄ１は、サーバ１３に格納されたプログラムによってデータベース化される。倉庫業者の管理者Ｍ１は、ステップＳ４において、コンピュータ１４でサーバ１３にアクセスすることによって、データベース化された物品情報Ｄ１を確認することが可能となる。
【００５５】
一方、作業者Ｍ２は、ステップＳ５において、ディスプレイ１２Ｂｄに物品情報Ｄ１を表示させて確認することができるとともに、通信インターフェース１２Ｂｃを介して通信ターミナル１５でメモリ１２Ｂｇにアクセスして、通信ターミナル１５のディスプレイに物品情報Ｄ１を表示させて確認することができる。
【００５６】
図７は、物品情報Ｄ１を新たな物品情報Ｄ２として物品管理システム１０を運用する方法を示すフローチャートであり、図８は、ＲＦＩＤタグ１に記憶された物品情報Ｄ１を新たな物品情報Ｄ２とする場合の概略を説明する図である。
【００５７】
図示のように、ステップＳ１０において、管理者Ｍ１がコンピュータ１４に物品情報Ｄ１とは異なる新たな物品情報Ｄ２を入力する。例えば、物品２の出荷先店舗を変更する場合には、図８（ａ）で示す物品情報Ｄ１において「Ａ店」としてＲＦＩＤタグ１に記憶された出荷先店舗について、図８（ｂ）で示すように、新たな物品情報Ｄ２として新たな出荷先店舗である「Ｂ店」をコンピュータ１４に入力する。
【００５８】
コンピュータ１４に入力された物品情報Ｄ２は、ステップＳ１１において、物品管理モジュール１２に送信される。物品管理モジュール１２に送信された物品情報Ｄ２は、ステップＳ１２において、制御部１２Ｂｄによって制御されるＲＦＩＤリーダ／ライタ１２Ｂａによって、ＲＦＩＤタグ１に記憶される。
【００５９】
ＲＦＩＤタグ１に新たな物品情報Ｄ２が記憶されると、ステップＳ１３において、制御部１２Ｂｄによって、新たな物品情報Ｄ２が記憶された旨が通信インターフェース１２Ｂｃを介してサーバ１３に送信される。
【００６０】
図９は、保管容器１１に収容される物品２を物品管理システム１０で管理する方法を示すフローチャートであり、図１０は、保管容器１１に収容される物品２を物品管理システム１０で管理する場合の概略を説明する図である。
【００６１】
まず、管理者Ｍ１が、保管容器１１に収容する物品２を特定する物品特定情報Ｄ３及び保管容器１１に収容する物品２の数量を特定する数量情報Ｄ４をコンピュータ１４に入力すると、図９で示すように、ステップＳ２０において、これら物品特定情報Ｄ３及び数量情報Ｄ４が物品管理モジュール１２に送信される。
【００６２】
本実施の形態では、物品特定情報Ｄ３及び数量情報Ｄ４は、図１０（ａ）で示すように、管理者Ｍ１によって、「シャツ」が「６」枚、「パンツ」が同じく「６」枚、及び「スカート」が「１０」枚等と入力される。
【００６３】
続いて、ステップＳ２１において、物品管理モジュール１２に送信された物品特定情報Ｄ３及び数量情報Ｄ４は、通信インターフェース１２Ｂｃ及び制御部１２Ｂｄを介してメモリ１２Ｂｇに記憶される。
【００６４】
その後、作業者Ｍ２が物品２を保管容器１１に収容すると、物品２に取り付けられたＲＦＩＤタグ１を通信用アンテナ１２Ａが検知し、ＲＦＩＤリーダ／ライタ１２Ｂａが、ＲＦＩＤタグ１に記憶された物品情報Ｄ１を取得する。
【００６５】
ＲＦＩＤリーダ／ライタ１２Ｂａが物品情報Ｄ１を取得すると、ステップＳ２２において、保管容器１１に収容される物品２が物品特定情報Ｄ３及び数量情報Ｄ４と一致するか否かが、制御部１２Ｂｄで判定される。すなわち、ＲＦＩＤリーダ／ライタ１２Ｂａで取得した物品情報Ｄ１が、物品特定情報Ｄ３及び数量情報Ｄ４と一致するか否かが判定される。
【００６６】
例えば、図１０（ｂ）で示すように、ＲＦＩＤリーダ／ライタ１２Ｂａが物品情報Ｄ１として「シャツ」のＪＡＮコードを「６」枚分、取得すると、この物品情報Ｄ１と物品特定情報Ｄ３及び数量情報Ｄ４とが一致すると判定される。
【００６７】
一方、作業者Ｍ２が物品２として下着を保管容器１１に収容すると、ＲＦＩＤリーダ／ライタ１２Ｂａが、物品情報Ｄ１として「下着」のＪＡＮコードを「１」枚分、取得する。このとき、図１０（ａ）で示したように、「下着」は物品特定情報Ｄ３としてメモリ１２Ｂｇに記憶されていないことから、物品情報Ｄ１と物品特定情報Ｄ３及び数量情報Ｄ４とが一致しないと判定される。
【００６８】
物品情報Ｄ１と物品特定情報Ｄ３及び数量情報Ｄ４とが一致しないと判定されると、本実施の形態では、ステップＳ２３において、警告装置１２Ｂｆによってアラーム音が発信される。
【００６９】
作業者Ｍ２が物品２としてスカートを１０枚、保管容器１１に収容すると、ＲＦＩＤリーダ／ライタ１２Ｂａが、物品情報Ｄ１として「スカート」のＪＡＮコードを「１０」枚分、取得する。
【００７０】
これに続いて、作業者Ｍ２が物品２としてスカートを１枚、保管容器１１に収容すると、図１０（ｂ）で示すように、先に収容した「１０」枚の「スカート」と合わせて「１１」枚の「スカート」を保管容器１１に収容することとなる。
【００７１】
このとき、図１０（ａ）で示したように、保管容器１１に収容される「スカート」の数量を特定する数量情報Ｄ４は「１０」枚としてメモリ１２Ｂｇに記憶されていることから、物品情報Ｄ１と数量情報Ｄ４とが一致しないと判定される。
【００７２】
物品情報Ｄ１と数量情報Ｄ４とが一致しないと判定されると、上記と同様に、ステップＳ２３において、警告装置１２Ｂｆによってアラーム音が発信される。
【００７３】
このように、本実施の形態の物品管理システム１０によれば、作業者Ｍ２が物品２を保管容器１１に収容する際に、物品２に取り付けられたＲＦＩＤタグ１を通信用アンテナ１２Ａが検知し、ＲＦＩＤリーダ／ライタ１２Ｂａが、ＲＦＩＤタグ１に記憶された物品情報Ｄ１を取得する。
【００７４】
取得した物品情報Ｄ１は、通信インターフェース１２Ｂｃを介してサーバ１３に送信される。サーバ１３に送信された物品情報Ｄ１は、管理者Ｍ１がコンピュータ１４でサーバ１３にアクセスすることによって確認することが可能となる。
【００７５】
このように、管理者Ｍ１が保管容器１１に収容された物品２の物品情報Ｄ１をコンピュータ１４で確認することができることから、物品２の搬送や保管といった作業を行う際の物品２の物品情報Ｄ１の管理を、容易に行うことができる。
【００７６】
特に、本実施の形態では、作業者Ｍ２が通信ターミナル１５を保有していることを例として説明したが、作業者Ｍ２が通信ターミナル１５を保有していなくとも、管理者Ｍ１は物品情報Ｄ１の管理を行うことができる。
【００７７】
なお、作業者Ｍ２が物品情報Ｄ１を確認する場合は、本実施の形態では、物品管理モジュール１２にディスプレイ１２Ｂｄが設けられていることから、このディスプレイ１２Ｂｄで物品情報Ｄ１を確認することができる。
【００７８】
しかも、本実施の形態では、ＲＦＩＤリーダ／ライタ１２Ｂａによって、ＲＦＩＤタグ１に記憶された物品情報Ｄ１を、管理者Ｍ１によってコンピュータ１４から入力された物品情報Ｄ２としてＲＦＩＤタグ１に記憶させることができる。
【００７９】
したがって、ＲＦＩＤタグ１に記憶させる物品２に関する情報を、物品２の実際の管理状況に応じて適宜に修正あるいは変更することができる。
【００８０】
さらに、制御部１２Ｂｄは、作業者Ｍ２が物品２を保管容器１１に収容する際にＲＦＩＤリーダ／ライタ１２Ｂａが取得する物品情報Ｄ１と、管理者Ｍ１によってコンピュータ１４から入力される物品特定情報Ｄ３及び数量情報Ｄ４とが一致するか否かを判定することから、保管容器１１への物品２の誤収容を防止して、適切に物品２を管理することができる。
【００８１】
さらに、本実施の形態では、保管容器１１の内表面に状態表示用ランプ１１ｃが設けられていることから、保管容器１１が暗所に配置されていても物品２の収容作業を効率的に実行することができる。
【００８２】
なお、本発明は上記実施の形態に限定されることはなく、発明の趣旨を逸脱しない範囲で種々変更可能である。例えば、一の保管容器１１に収容されている物品２を取り出して他の保管容器１１に収容する際に、ＲＦＩＤリーダ／ライタ１２ＢａでＲＦＩＤタグ１に記憶された物品情報Ｄ１を取得させ、取得させた物品情報Ｄ１とサーバ１３でデータベース化された物品情報Ｄ１とを対比することで、物品２の実際の数量とデータ上の数量との差分の有無を検知することができる。
【００８３】
さらに、保管容器１１の底部１１ａ及び側部１１ｂに電磁遮蔽板を内蔵させて、他の保管容器１１に収容される物品２に取り付けられたＲＦＩＤタグ１を通信用アンテナ１２Ａが誤検知しないように構成することもできる。
【００８４】
上記実施の形態では、物品情報Ｄ１と物品特定情報Ｄ３及び数量情報Ｄ４とが一致しない場合に、警告装置１２Ｂｆでアラーム音を発信する場合を説明したが、例えば、状態表示用ランプ１１ｃを点灯あるいは点滅させて警告を発したり、アラーム音と併用して状態表示用ランプ１１ｃを点灯等させて警告を発したりすることもできる。
【００８５】
また、上記実施の形態では、管理者Ｍ１が、保管容器１１に収容する物品２を特定する物品特定情報Ｄ３及び保管容器１１に収容する物品２の数量を特定する数量情報Ｄ４をコンピュータ１４に入力すると、これら物品特定情報Ｄ３及び数量情報Ｄ４が物品管理モジュール１２に送信され、その後、作業者Ｍ２が物品を保管容器１１に収容すると、保管容器１１に収容される物品２が物品特定情報Ｄ３及び数量情報Ｄ４と一致するか否かが判定され、一致しないと判定されると、警告装置１２Ｂｆによってアラーム音が発せられるとしたが、その際、物品管理モジュール１２に送信された物品特定情報Ｄ３及び数量情報Ｄ４がディスプレイ１２Ｂｂに表示され、そのことが状態表示用ランプ１１ｃや警告装置１２Ｂｆで作業者Ｍ２に通知され、作業者Ｍ２がディスプレイ１２Ｂｂを見ながら、そこに表示された物品（物品特定情報Ｄ３）を表示された数（数量情報Ｄ４）だけ入れることによって（さらには、物品特定情報Ｄ３及び数量情報Ｄ４が満たされた場合には、状態表示用ランプ１１ｃや警告装置１２Ｂｆで作業者Ｍ２に通知することによって）、棚入れ・ピッキング時に通信ターミナル１５なしで物品の収容が可能となり、物品間違い、数量間違いを防止することができる。
【００８６】
すなわち、保管容器１１に収容される物品２が物品特定情報Ｄ３及び数量情報Ｄ４と一致しないと判定されると、警告が行われるので、通信ターミナル１５なしで物品の収容が可能となり、物品間違い、数量間違いを防止することができるし、作業者Ｍ２がディスプレイ１２Ｂｂを見ながら作業することができれば、通信ターミナル１５なしでの物品の収容が一層容易になる。
【００８７】
このことは、物品２の取出時についても同様であり、管理者Ｍ１が、保管容器１１から取り出す物品２を特定する物品特定情報Ｄ３及び保管容器１１から取り出す物品２の数量を特定する数量情報Ｄ４（この数量情報Ｄ４は、保管容器１１から取り出された後の物品２の数量（＝保管容器１１に収容される物品２の数量）であってもよい。）をコンピュータ１４に入力すると、これら物品特定情報Ｄ３及び数量情報Ｄ４が物品管理モジュール１２に送信され、その後、作業者Ｍ２が物品を保管容器１１から取り出すと、保管容器１１から取り出される物品２が物品特定情報Ｄ３及び数量情報Ｄ４と一致するか否かが判定され、一致しないと判定されると、警告装置１２Ｂｆによってアラーム音が発せられるとしてもよい。そして、その際、物品管理モジュール１２に送信された物品特定情報Ｄ３及び数量情報Ｄ４がディスプレイ１２Ｂｂに表示され、そのことが状態表示用ランプ１１ｃや警告装置１２Ｂｆで作業者Ｍ２に通知されても（さらには、物品特定情報Ｄ３及び数量情報Ｄ４が満たされた場合には、状態表示用ランプ１１ｃや警告装置１２Ｂｆで作業者Ｍ２に別途通知されても）よい。これにより、作業者Ｍ２がディスプレイ１２Ｂｂを見ながら、そこに表示された物品を表示された数だけ（又は表示された数まで）取り出すことによって、仕分け時に通信ターミナル１５なしで物品の収容が可能となり、物品間違い、数量間違いを防止することができる。
【００８８】
さらに、上記実施の形態では、管理者Ｍ１がコンピュータ１４に物品情報Ｄ２を入力し、ＲＦＩＤタグ１に新たな物品情報Ｄ２が書き込まれてＲＦＩＤタグ１の記憶情報が更新されるとしたが、作業者Ｍ２が物品管理コントローラ１２Ｂの操作部１２Ｂｅ等を操作して物品情報Ｄ２を入力し、ＲＦＩＤタグ１に新たな物品情報Ｄ２が書き込まれてＲＦＩＤタグ１の記憶情報が更新されるとしてもよい。
【符号の説明】
【００８９】
１    ＲＦＩＤタグ（記憶媒体）
２    物品
１０    物品管理システム
１１    保管容器
１１ｃ    状態表示用ランプ（発光体、警告手段）
１２    物品管理モジュール
１２Ａ    通信用アンテナ（記憶媒体検知手段）
１２Ｂ    物品管理コントローラ
１２Ｂａ    ＲＦＩＤリーダ／ライタ（情報管理手段）
１２Ｂｂ    ディスプレイ（表示部）
１２Ｂｃ    通信インターフェース（通信手段）
１２Ｂｄ    制御部（制御手段）
１２Ｂｆ    警告装置（警告手段）
１２Ｂｇ    メモリ
１３    サーバ
１４    コンピュータ
１５    通信ターミナル
Ｄ１、Ｄ２    物品情報
Ｄ３    物品特定情報
Ｄ４    数量情報
【図１】
2019112231.tif 000003
【図２】
2019112231.tif 000004
【図３】
2019112231.tif 000005
【図４】
2019112231.tif 000006
【図５】
2019112231.tif 000007
【図６】
2019112231.tif 000008
【図７】
2019112231.tif 000009
【図８】
2019112231.tif 000010
【図９】
2019112231.tif 000011
【図１０】
2019112231.tif 000012